(57)【特許請求の範囲】
【請求項１】
農産物を冷蔵する農産物保冷庫の天井面に設置される農産物保冷庫用冷蔵ユニットであって、
下部に位置し冷蔵ユニットの構成部品を設置する樹脂製のベースと、
断熱材からなり冷却器の下側を断熱し前記ベースによって保持される下側断熱部と、
断熱材からなり前記下側断熱部の上に前記下側断熱部と嵌合して配置され前記下側断熱部と共に前記冷却器を断熱する上側断熱部と、
前記上側断熱部の上から前記ベースまでかぶさるように設置されるコの字型の外装パネルと、
前記外装パネルの側面に取り付けられる外装サイドパネルを備え、
前記ベースは、前記外装パネルの内側に接する壁面と、前記壁面から突起した引掛け部と、前記壁面と前記外装パネルを挟み込むように前記引掛け部とつながって設置される小壁面と、を有し、
前記外装パネルは、前記外装パネルの下部から垂直に切込まれた垂直方向の切り込みと、前記垂直方向の切り込みから水平に切り込まれた水平方向の切り込みと、からなる切込みを有し、
前記垂直方向の切り込みの幅は、前記引掛け部の横方向の幅より大きく、
前記水平方向の切り込みの幅は、前記引掛け部の縦方向の幅より大きいものであって、
前記水平方向の切り込みに前記引掛け部が嵌合した状態で、前記外装パネルは上下方向に動かず、
前記外装サイドパネルは前記ベース側面に当たり、前記外装パネルは横方向にも動かない構造とした農産物保冷庫用冷蔵ユニット。
【請求項２】
前記小壁面を前記引掛けの幅の二倍以上の幅とし、
前記外装パネルの前記切込みが前記冷蔵ユニットの外側から見えないようにした請求項１に記載の農産物保冷庫用冷蔵ユニット。
【請求項３】
前記外装サイドパネルと前記ベースの接触部に、前記ベースは樹脂成型による爪を有し、前記外装サイドパネルは、前記爪と嵌合する嵌合部を有し、
前記爪に前記嵌合部が嵌合した状態で、前記外装パネルは横方向に動かないようにした請
求項１に記載の農産物保冷庫用冷蔵ユニット。
【発明の詳細な説明】
【技術分野】
【０００１】
本発明は、農産物を冷蔵する農産物保冷庫の天井面に設置される農産物保冷庫用冷蔵ユニットに関するものである。
【背景技術】
【０００２】
従来、この種の農産物保冷庫用冷蔵ユニットは、外郭構造の部分は板金で構成しており、冷却装置などを保護するために、外郭下部のベースと外郭上部に外装パネルを構成したものがある（例えば、特許文献１参照）。
【０００３】
以下、図面を参照しながら特許文献１に記載された従来の農産物保冷庫用冷蔵ユニットを説明する。図５から図７は、特許文献１に記載された従来の農産物保冷庫用冷蔵ユニットを示すものである。図５および図６に示すように、従来の冷蔵ユニット２１は、外郭下部となる鉄製のベース２２と、冷却器２３と、冷却器の下側を断熱し、保冷庫内へ冷気を送る開口２５を下側に持ち、ベースによって保持される下側断熱部２６と、冷却器２３を上方から囲う上側断熱部２７と、外郭上部となる外装パネル２４と、から構成されている。
【０００４】
農作物保冷庫は、図７に示すように、前面に扉を有した断熱性の高い保冷庫本体２８の上部に冷蔵ユニット２１を備え、冷却風を図６に示す保冷庫本体２８の天面２９の開口（図示せず）から庫内に流し込むように構成している。
【０００５】
冷蔵ユニット２１の内部構造は、図５および図６に示すように、底面はベース２２で、冷却側には保冷庫内の空気を吸い込み、冷却後、吐き出すため、箱状に形成される断熱部の内側に図７の天面２９の開口に相対して開口２５が設けられている。
【０００６】
また、冷却側の冷却風は、図６の矢印のように流れ、冷却器２３の周囲を発泡材などで形成した下側断熱部２６と上側断熱部２７にて囲っている。
【０００７】
下側断熱部２６は、保冷庫本体２８との嵌合のためにシール材３０を押し付け、その押し付けによる圧力は下側断熱部２６と上側断熱部２７の密着を向上する。さらにその圧力は外側の外装パネル２４に加わり、外装パネル２４は鉄製のベース２２とビス３１などで固定されており圧力を閉じ込めることができる。
【０００８】
このように冷蔵ユニット２１の外郭構造は、外装パネル２４で内部の断熱材を包み込むように固定することで、冷却部の機密性をより確実に保てるように構成されている。
【先行技術文献】
【特許文献】
【０００９】
【特許文献１】特開２００１−２４１８３４号公報
【発明の概要】
【発明が解決しようとする課題】
【００１０】
しかしながら、前記従来の構成では、ベースの材料を鉄製から樹脂材料に置き換えた場合、樹脂材料は集中的な力に弱く、ビスなどで固定する際にビスに力が集中して加わるため、ビスのネジ部分で変形などが生じる。また、力を分散するためにはビスの本数を板金に対して増加するなどしなければならない。
【００１１】
また、面積が広く上に部品がたくさん乗る樹脂ベースにおいては上下方向に割れる金型を使用するが、ビスをつけるためには、樹脂の横方向に穴を開ける必要があり、樹脂の金型に横方向に抜ける部分を多数設けなければならなくなるため、樹脂金型が複雑になり高価なものになってしまう。
【００１２】
また、冷却ユニットの修理など行う場合、外装パネルをはずす必要があり、ビスをはずし締め直すことでビスの樹脂側がビス馬鹿になってしまい、修理メンテナンス時にベースを交換しなければならなくなるという課題を有していた。
【００１３】
本発明は、前記従来の課題を解決するもので、外装パネルに内部から力を受けても樹脂ベースが容易に変形や割れを生じにくく、修理メンテナンスにおいても容易に樹脂ベースに負荷をかけることなく外装パネルの着脱ができ、ビスの頭などが多数見えずにすっきりとした外観を得られ、樹脂金型のコストも抑えることのできる農産物保冷庫用冷蔵ユニットを提供することを目的とする。
【課題を解決するための手段】
【００１４】
前記従来の課題を解決するために、本発明の農産物保冷庫用冷蔵ユニットは、下部に位置し冷蔵ユニットの構成部品を設置する樹脂製のベースと、断熱材からなり冷却器の下側を断熱し前記ベースによって保持される下側断熱部と、断熱材からなり前記下側断熱部の上に前記下側断熱部と嵌合して配置され前記下側断熱部と共に前記冷却器を断熱する上側断熱部と、前記上側断熱部の上から前記ベースまでかぶさるように設置されるコの字型の外装パネルと、前記外装パネルの側面に取り付けられる外装サイドパネルを備え、前記ベースは、前記外装パネルの内側に接する壁面と、前記壁面から突起した引掛け部と、前記壁面と前記外装パネルを挟み込むように前記引掛け部とつながって設置される小壁面と、を有し、前記外装パネルは、前記外装パネルの下部から垂直に切込まれた垂直方向の切り込みと、前記垂直方向の切り込みから水平に切り込まれた水平方向の切り込みと、からなる切込みを有し、前記垂直方向の切り込みの幅は、前記引掛け部の横方向の幅より大きく、前記水平方向の切り込みの幅は、前記引掛け部の縦方向の幅より大きいものであって、前記水平方向の切り込みに前記引掛け部が嵌合した状態で、前記外装パネルは上下方向に動かず、前記外装サイドパネルは前記ベース側面に当たり、前記外装パネルは横方向にも動かない構成にしたのである。
【００１５】
上記構成により、引掛けにより外装パネルに加重が加わっても、容易に樹脂が変形や割れを発生することが無く、引掛けを部分の数を増加させても部品点数は増えることが無く、容易に強度を上げることもできる。
【００１６】
また、本発明の農産物保冷庫用冷蔵ユニットは、前記小壁面を前記引掛けの幅の二倍以上の幅とし、前記外装パネルの前記切込みが前記冷蔵ユニットの外側から見えないようにしたのである。
【００１７】
上記構成により、ビスの頭が多数見えるなどなく、外装パネルの切込みを隠すことができるため、すっきりとした外観が得られ、意匠性を上げることができる。
【００１８】
また、本発明の農産物保冷庫用冷蔵ユニットは、前記外装サイドパネルと前記ベースの
接触部に、前記ベースは樹脂成型による爪を有し、前記外装サイドパネルは、前記爪と嵌合する嵌合部を有し、前記爪に前記嵌合部が嵌合した状態で、前記外装パネルは横方向に動かないようにしたものである。
【００１９】
上記構成により、外装パネルと外装サイドパネルとをあらかじめ取り付けておき、樹脂ベースに固定する際に水平方向にスライドするだけで爪に固定されるため、容易に外装パネルを固定できる。
【発明の効果】
【００２０】
本発明の農産物保冷庫用冷蔵ユニットは、引掛けにより容易に着脱できる構造としたため、ビスなどの取付け用の部品をつける必要が無く、材料代や組み立て工数などを低減することができるとともに、樹脂の成型においては、ビス穴などが不必要になるため、樹脂金型を上下方向の割り型だけで製作できるため、金型コストとしても低減できる。
【図面の簡単な説明】
【００２１】
【図１】本発明の実施の形態１における農産物保冷庫用冷蔵ユニットの分解斜視図
【図２】同実施の形態の農産物保冷庫用冷蔵ユニットに用いたベースと外装パネル嵌合部の部分拡大斜視図
【図３】本発明の実施の形態２における農産物保冷庫用冷蔵ユニットに用いたベースと外装パネル嵌合部の部分拡大斜視図
【図４】本発明の実施の形態３における農産物保冷庫用冷蔵ユニットの斜視図
【図５】従来の農産物保冷庫用冷蔵ユニットの部品配置図
【図６】従来の農産物保冷庫用冷蔵ユニットの断熱部の断面図
【図７】従来の農産物保冷庫の扉を開いた状態の外観斜視図
【発明を実施するための形態】
【００２２】
第１の発明は、農産物を冷蔵する農産物保冷庫の天井面に設置される農産物保冷庫用冷蔵ユニットであって、下部に位置し冷蔵ユニットの構成部品を設置する樹脂製のベースと、断熱材からなり冷却器の下側を断熱し前記ベースによって保持される下側断熱部と、断熱材からなり前記下側断熱部の上に前記下側断熱部と嵌合して配置され前記下側断熱部と共に前記冷却器を断熱する上側断熱部と、前記上側断熱部の上から前記ベースまでかぶさるように設置されるコの字型の外装パネルと、前記外装パネルの側面に取り付けられる外装サイドパネルを備え、前記ベースは、前記外装パネルの内側に接する壁面と、前記壁面から突起した引掛け部と、前記壁面と前記外装パネルを挟み込むように前記引掛け部とつながって設置される小壁面と、を有し、前記外装パネルは、前記外装パネルの下部から垂直に切込まれた垂直方向の切り込みと、前記垂直方向の切り込みから水平に切り込まれた水平方向の切り込みと、からなる切込みを有し、前記垂直方向の切り込みの幅は、前記引掛け部の横方向の幅より大きく、前記水平方向の切り込みの幅は、前記引掛け部の縦方向の幅より大きいものであって、前記水平方向の切り込みに前記引掛け部が嵌合した状態で、前記外装パネルは上下方向に動かず、前記外装サイドパネルは前記ベース側面に当たり、前記外装パネルは横方向にも動かない構成にしたものである。
【００２３】
上記構成において、外装パネルは樹脂に引掛けにより固定されているので、外装パネルに加重が加わっても容易に樹脂が変形や割れを発生することが無く、引掛けを部分の数を増加させても部品点数は増えることが無く、容易に強度を上げることもできる。また繰り返し着脱を行っても変形や割れを起こしにくく、修理メンテナンスも容易に行うことができる。
【００２４】
第２の発明は、特に第１の発明において、前記小壁面を前記引掛けの幅の二倍以上の幅とし、前記外装パネルの前記切込みが前記冷蔵ユニットの外側から見えないようにしたも
のである。
【００２５】
上記構成において、ビスの頭が多数見えるなどなく、外装パネルの切込みを隠すことができるため、すっきりとした外観が得られ、意匠性を上げることができる。
【００２６】
第３の発明は、特に第１の発明において、前記外装サイドパネルと前記ベースの接触部に、前記ベースは樹脂成型による爪を有し、前記外装サイドパネルは、前記爪と嵌合する嵌合部を有し、前記爪に前記嵌合部が嵌合した状態で、前記外装パネルは横方向に動かないようにしたものである。
【００２７】
上記構成において、外装パネルと外装サイドパネルをあらかじめ取り付けておき、樹脂ベースに固定する際に水平方向にスライドするだけで爪に固定されるため、容易に外装パネルを固定できる。
【００２８】
以下、本発明の農産物保冷庫用冷蔵ユニットの実施の形態について、図面を参照しながら説明する。なお、この実施の形態によって本発明が限定されるものではない。
【００２９】
（実施の形態１）
図１は、本発明の実施の形態１における農産物保冷庫用冷蔵ユニットの分解斜視図を示すものである。図２は、同実施の形態の農産物保冷庫用冷蔵ユニットに用いたベースと外装パネル嵌合部の部分拡大斜視図を示すものである。
【００３０】
図１に示すように、本実施の形態における農産物保冷庫用冷蔵ユニットは、下部に位置し冷蔵ユニット１の構成部品を設置する樹脂製ベース２と、発泡断熱材からなり冷却器３の下側を断熱し周囲が樹脂製ベース２によって保持される下側断熱部４と、発泡断熱材からなり下側断熱部４の上に下側断熱部４と嵌合して配置され下側断熱部４と共に冷却器３を断熱する上側断熱部５と、樹脂製ベース２と共に冷蔵ユニット１の外郭を構成する外装パネル６と、外装サイドパネル７と、を備える。
【００３１】
樹脂製ベース２における下側断熱部４を保持する部分は、下側断熱部４の周囲を樹脂製ベース２上に乗せるように設置され下側断熱部４は、上方向には動くことができる。
【００３２】
また、上側断熱部５と下側断熱部４とは、冷却器３をはさむ様に嵌合され、上側断熱部５を外装パネル６で上から押さえ込み、外装パネル６は樹脂製ベース２に固定される。
【００３３】
樹脂製ベース２の下面で、下側断熱部４の下面に発砲樹脂フォームが貼られ冷却される農作物を収納する筐体の空気取り込み口周りに密着し、断熱部ではさまれた冷却器で冷却される空気は、下側断熱部４の筐体との密着部内側を通り筐体内部へ送風される。
【００３４】
図２に示すように、樹脂製ベース２には、外装パネル６の内側に位置し、下側断熱部４の周囲に位置する壁面８を持ち、壁面から突起する引掛け部９と引掛け部９と繋がる小壁面１０をもち、外装パネル６には、下部から垂直方向の切込み１１とその切込みは水平方向に曲がる水平方向の切込み１２を持ち、切込みの幅は、引掛け部９の縦および横方向の幅に対応して、垂直方向の切込み１１は横方向の幅よりも若干広く、水平方向の切り込み１２幅は縦方向より若干広く設定される。
【００３５】
以上のように構成された本実施の形態の農産物保冷庫用冷蔵ユニットについて、その動作、作用を説明する。
【００３６】
まず、外装パネル６の垂直方向の切込み１１を樹脂製ベース２の引掛け部９に挿入し、
その後、外装パネル６を水平方向にスライドさせることで、外装パネル６の水平方向の切込み１２に引掛け部９が嵌合し、外装パネル６は、上下方向に動かなくなる。
【００３７】
冷蔵ユニット１は設置すると、断熱材下部の発砲樹脂フォームは、密着するために圧縮されるが、その圧縮の反発力は、断熱材を介して外装パネル６へと伝わり、外装パネル６には筐体に固定される樹脂製ベース２を上方向に引き上げる力が生じている。
【００３８】
したがって、引掛け部９に嵌合した外装パネル６の水平方向の切込み１２が樹脂製ベース２の引掛け部９により支えられる。また、外装パネル６は後から取り付けられる外装サイドパネル７によって外装サイドパネル７の内側に樹脂製ベース２が接触するため、外装パネル６が左右に動くことが無い。
【００３９】
以上のように、本実施の形態においては、樹脂製ベース２の引掛け部９に上下方向に固定されているので、外装パネル６に生じている上方向の加重を受けることができる。
【００４０】
また、ビスなどの固定用の部品を必要とせず、部品点数が下がりコストを下げることができる。
【００４１】
ビスなどを使用する場合は、外装パネル６を上方向に引張る力が加わっているので、ビスには、締め付け以外の応力が加わってしまい、ビスの下穴となる樹脂が変形してしまい、ネジ馬鹿などが生じたり、修理メンテナンスなどで繰り返しネジをとめなおしても、同様にネジ馬鹿などを生じてしまう。
【００４２】
しかしながら、外装パネル６の一部を引掛けているだけの本仕様においては、繰り返し外装パネル６を着脱しても、容易に引掛け部９が変形しにくくなる。
【００４３】
（実施の形態２）
図３は、本発明の実施の形態２における農産物保冷庫用冷蔵ユニットに用いたベースと外装パネル嵌合部の部分拡大斜視図を示すものである。
【００４４】
なお、本実施の形態において、実施の形態１と同一構成については、同一符号を付して、その詳細な説明は省略する。
【００４５】
本実施の形態は、実施の形態１の構成から、小壁面１３を引掛け部９の横幅の二倍以上に広げたものである。
【００４６】
図３に示すように、樹脂製ベース２には、外装パネル６の内側に位置し、下側断熱部４の周囲に位置する壁面８を持ち、壁面８から突起する引掛け部９と引掛け部９と繋がる小壁面１３をもち、小壁面１３は引掛け部９の横幅の二倍以上の幅を持っている。
【００４７】
以上のように構成された本実施の形態の農産物保冷庫用冷蔵ユニットについて、その動作、作用を説明する。
【００４８】
本実施の形態の樹脂製ベース２では、小壁面１３を引掛け部９の横幅の二倍以上に設定したので、外装パネル６の垂直方向の切込み１１が外側から見えなくなり、冷蔵ユニット１の外観が向上する。
【００４９】
以上のように、本実施の形態の農産物保冷庫用冷蔵ユニットでは、実施の形態１の作用効果に加えて、実施の形態１よりも、小壁面１３の幅を広げたことにより、応力が分散され、より大きな応力に対応することができる。
【００５０】
（実施の形態３）
図４は、本発明の実施の形態３における農産物保冷庫用冷蔵ユニットの斜視図を示すものである。
【００５１】
なお、本実施の形態において、実施の形態１および２と同一構成については、同一符号を付して、その詳細な説明は省略する。
【００５２】
本実施の形態は、実施の形態１の構成から、外装サイドパネル７と樹脂製ベース２の接触部に、樹脂製ベース２に樹脂成型による爪１４を設け、外装パネル６のスライド時に、外装サイドパネル７の嵌合部１５が爪１４に嵌合し、外装パネル６が横方向に動かないようにしたものである。
【００５３】
図４に示すように、外装サイドパネル７に穴などの嵌合部１５とその位置にあわせた樹脂製ベース２に爪１４を設けた。
【００５４】
以上のように構成された本実施の形態の農産物保冷庫用冷蔵ユニットについて、その動作、作用を説明する。
【００５５】
本実施の形態の樹脂製ベース２では、外装パネル６の取り付け時、最後のスライドで水平方向に動く際に、爪１４が嵌合部１５に入り込み、樹脂の弾性で変形後、外装パネル６設置位置で爪１４が引っかかり、外装パネル６が水平方向に動かなくなる。
【００５６】
以上のように、本実施の形態の農産物保冷庫用冷蔵ユニットでは、実施の形態１の作用効果に加えて、実施の形態１よりも、外装サイドパネル７の嵌合部１５に嵌合する爪１４を樹脂製ベース２に設置することにより、外装パネル６に外装サイドパネル７を樹脂製ベース２に取り付け前に取り付けておくことで、外装パネル６を取り付ける際の水平方向のスライドで外装サイドパネル７が固定され、外装パネル６も固定される。工数削減が図れる。
【産業上の利用可能性】
【００５７】
本発明にかかる農産物保冷庫用冷蔵ユニットは、樹脂製部品と組み合わせる際に、修理メンテナンスなどで繰り返し着脱が想定される構成の物について、樹脂の変形などを気にすることなく設置できるため、業務用の冷蔵ユニットなど長期間使用し、水や食物からの腐食物質など発生するものを冷却する場合、冷蔵ユニットの修理メンテナンスは必要になるため、幅広い冷蔵ユニットに適用できる。
【符号の説明】
【００５８】
１  冷蔵ユニット
２  樹脂製ベース
３  冷却器
４  下側断熱部
５  上側断熱部
６  外装パネル
７  外装サイドパネル
８  壁面
９  引掛け部
１０  小壁面
１１  垂直方向の切込み
１２  水平方向の切込み
１３  小壁面
１４  爪
１５  嵌合部
【図４】
0005982629.tif 000002
【図１】
0005982629.tif 000003
【図２】
0005982629.tif 000004
【図３】
0005982629.tif 000005
【図５】
0005982629.tif 000006
【図６】
0005982629.tif 000007
【図７】
0005982629.tif 000008